(57)【要約】【課題】容器本体に対する帯部材の取付強度を向上させる。【解決手段】植物用容器は、板状の底壁部２０と底壁部２０の外周縁から上側に向かって延びている筒状の側壁部３０とを有する容器本体１０と、容器本体１０に固定された帯部材６０とを備えている。側壁部３０には、当該側壁部３０の外面から容器本体１０の内部側へと窪んでいるとともに、側壁部３０の上端から下端へと延びている一対の側凹部が設けられている。底壁部２０には、当該底壁部２０の下面から容器本体１０の内部側へと窪んでいるとともに、一対の側凹部の下端同士を繋ぐように延びている底凹部が設けられている。帯部材６０の一対の側嵌合部６６は側壁部３０の一対の側凹部に嵌合され、帯部材６０の底嵌合部６１は底壁部２０の底凹部に嵌合されている。また、帯部材６０の一対の係合部６７は側壁部３０の上端に係合されている。【選択図】図１
2018177354.tif 000002
【特許請求の範囲】
【請求項１】
板状の底壁部と前記底壁部の外周縁から上側に向かって延びている筒状の側壁部とを有する容器本体と、前記容器本体に固定されている帯部材とを備えている植物用容器であって、
前記側壁部には、当該側壁部の外面から前記容器本体の内部側へと窪んでいるとともに、前記側壁部の上端から下端へと延びている一対の側凹部が設けられ、
前記底壁部には、当該底壁部の下面から前記容器本体の内部側へと窪んでいるとともに、前記一対の側凹部の下端同士を繋ぐように延びている底凹部が設けられ、
前記帯部材は、前記底凹部の延設方向の全体に亘って嵌合されている底嵌合部と、前記一対の側凹部の延設方向の全体に亘って嵌合されている一対の側嵌合部と、前記各側嵌合部の上端から前記容器本体の内部側に向かって突出して前記側壁部の上端に係合されている一対の係合部とを備えている
ことを特徴とする植物用容器。
【請求項２】
前記帯部材は、前記側嵌合部の各上端から上側に向かって延びている取手部を備えている
請求項１に記載の植物用容器。
【請求項３】
前記容器本体は、前記底壁部の下面から下側に向かって突出している複数の突起部を備えており、
前記突起部は、前記帯部材の下面よりも下側にまで突出している
請求項１又は請求項２に記載の植物用容器。
【請求項４】
前記底凹部は、当該底凹部における他の部分よりも短手方向の幅が大きい拡幅凹部を備えており、
前記底嵌合部は、前記拡幅凹部に嵌合されている拡幅嵌合部を備えている
請求項１〜請求項３のいずれか一項に記載の植物用容器。
【発明の詳細な説明】
【技術分野】
【０００１】
本発明は、植物用容器に関する。
【背景技術】
【０００２】
特許文献１の植物用容器は、略円板状の底壁部と底壁部の外周縁から上側に向かって延びている略円筒状の側壁部とによって構成された容器本体を備えている。容器本体には、植物用容器の取手として機能する帯板状の帯部材が固定されている。帯部材は、両端部が下側に向かうように逆Ｕ字形状に湾曲している。帯部材の各端部は、容器本体における側壁部の上端部に固定されている。
【先行技術文献】
【特許文献】
【０００３】
【特許文献１】実用新案登録第３１２４７４５号公報
【発明の概要】
【発明が解決しようとする課題】
【０００４】
特許文献１の植物用容器において、例えば植物用容器を持ち上げようと帯部材を把持するなどして帯部材に外力が加わると、帯部材の各端部と容器本体との固定箇所に外力が集中する。こうした外力が大きい場合には、帯部材が容器本体に対してぐらついたり、帯部材が容器本体から意図せず外れてしまったりすることがある。また、取手として機能するものに限らず、例えば意匠上のアクセント等のために容器本体に帯板状の帯部材を取り付けた場合にも、帯部材に外力が加われば同様の問題が生じ得る。したがって、特許文献１のような従来の植物用容器は、帯部材の取り付け強度という点でさらなる改善の余地がある。
【課題を解決するための手段】
【０００５】
上記課題を解決するための植物用容器は、板状の底壁部と前記底壁部の外周縁から上側に向かって延びている筒状の側壁部とを有する容器本体と、前記容器本体に固定されている帯部材とを備えている植物用容器であって、前記側壁部には、当該側壁部の外面から前記容器本体の内部側へと窪んでいるとともに、前記側壁部の上端から下端へと延びている一対の側凹部が設けられ、前記底壁部には、当該底壁部の下面から前記容器本体の内部側へと窪んでいるとともに、前記一対の側凹部の下端同士を繋ぐように延びている底凹部が設けられ、前記帯部材は、前記底凹部の延設方向の全体に亘って嵌合されている底嵌合部と、前記一対の側凹部の延設方向の全体に亘って嵌合されている一対の側嵌合部と、前記各側嵌合部の上端から前記容器本体の内部側に向かって突出して前記側壁部の上端に係合されている一対の係合部とを備えている。
【０００６】
上記構成では、帯部材の底嵌合部及び側嵌合部が、それぞれ容器本体の底凹部及び側凹部に嵌合されているため、帯部材が、底凹部や側凹部の幅方向（短手方向）に位置ずれしにくい。また、帯部材の底嵌合部は容器本体の底凹部に嵌合され、帯部材の係合部は容器本体における側壁部の上端に係合されている。すなわち、帯部材は、容器本体を上下方向に挟み込むように固定されている。したがって、帯部材は、容器本体に対して上下方向にも位置ずれしにくい。よって、上記構成では、帯部材の端部のみが容器本体に固定されている構成に比べて、容器本体に対する帯部材の取付強度として相当に高い強度が確保されている。
【０００７】
上記植物用容器において、前記帯部材は、前記側嵌合部の各上端から上側に向かって延びている取手部を備えていてもよい。
上記構成では、帯部材が取手部を備えているため、取手部を把持して植物用容器を持ち上げることができる。また、このように取手部を把持すると、帯部材と容器本体との固定箇所には相応の外力が作用する。このように帯部材が取手部を備えている構成において、容器本体の底凹部及び一対の側凹部に帯部材の底嵌合部及び側嵌合部を嵌め合わせて取付強度を向上させることは、特に好適である。
【０００８】
上記植物用容器において、前記容器本体は、前記底壁部の下面から下側に向かって突出している複数の突起部を備えており、前記突起部は、前記帯部材の下面よりも下側にまで突出していてもよい。
【０００９】
例えば、容器本体における底壁部の下面と帯部材における底嵌合部の下面が略面一になるように設計したとしても、容器本体の底凹部や帯部材の底嵌合部の製造誤差等によっては、容器本体における底壁部の下面に対して帯部材における底嵌合部の下面が下側に突出することがある。このような場合には、平坦な面に植物用容器を載置しても植物用容器を安定して載置できないことがある。上記構成では、容器本体の突起部が帯部材の下面よりも下側にまで突出しているため、植物用容器を平坦な面に載置した場合には植物用容器が複数の突起部によって支持される。よって、製造誤差等によって容器本体における底壁部の下面よりも下側に帯部材における底嵌合部の下面が位置していたとしても、植物用容器を安定して載置できる。
【００１０】
上記植物用容器において、前記底凹部は、当該底凹部における他の部分よりも短手方向の幅が大きい拡幅凹部を備えており、前記底嵌合部は、前記拡幅凹部に嵌合されている拡幅嵌合部を備えていてもよい。
【００１１】
帯部材の底嵌合部が容器本体の底凹部に嵌合されている構成においては、底凹部の延設方向に帯部材の底嵌合部が位置ずれすることがあり得る。上記構成では、容器本体の拡幅凹部に帯部材の拡幅嵌合部が嵌合しているため、容器本体における底凹部の延設方向に帯部材の底嵌合部ががたつくことも抑制できる。
【図面の簡単な説明】
【００１２】
【図１】植物用容器の斜視図。
【図２】容器本体の斜視図。
【図３】容器本体の底面図。
【図４】帯部材の斜視図。
【図５】図１における５−５線での断面図。
【図６】図１における６−６線での断面図。
【図７】植物用容器の変更例を示す斜視図。
【図８】植物用容器の変更例を示す斜視図。
【発明を実施するための形態】
【００１３】
以下、本発明の実施形態を図１〜図６にしたがって説明する。なお、以下の説明で植物用容器の上下方向を示す場合には、植物用容器を水平な面に載置した状態での上下方向を示すものとする。
【００１４】
図１に示すように、植物用容器は、上側に開口した有底筒状の容器本体１０を備えている。容器本体１０は、略円板状の底壁部２０を備えている。底壁部２０の外周縁からは、上側に向かって略円筒状の側壁部３０が延びている。側壁部３０の径は、上側に向かうほど大きくなっていて、当該側壁部３０は全体としてテーパ状になっている。なお、本実施形態では、容器本体１０が樹脂材料によって構成されている。
【００１５】
図２に示すように、側壁部３０には、当該側壁部３０の外面から容器本体１０の内部側へと窪んだ側凹部３１が設けられている。側凹部３１は、容器本体１０を側面視したときに、側壁部３０の上端から下端にまで直線状に延びている。側凹部３１は、略円筒状の側壁部３０の中心軸線を挟んで対向するように一対設けられている。なお、側凹部３１が設けられている部分では、側壁部３０の内面が側壁部３０の中心側に突出している。そして、側壁部３０の周方向において当該側壁部３０の厚みは、側凹部３１が設けられている部分も設けられていない他の部分も略同じになっている。
【００１６】
側凹部３１の上端には、側壁部３０の上端から下側に向かって切り欠かれた形状の切欠部３２が設けられている。切欠部３２は、容器本体１０を側面視したときに略四角形状になっている。切欠部３２は、各側凹部３１に対応して一対設けられている。
【００１７】
図３に示すように、底壁部２０には、当該底壁部２０の下面から容器本体１０の内部側（上側）へと窪んだ底凹部２１が設けられている。底凹部２１は、一対の側凹部３１の下端同士を繋ぐように延びている。すなわち、底凹部２１は、略円板状の底壁部２０の中心軸線を通過するように延びている。底凹部２１は、底壁部２０の中央に位置している拡幅凹部２３と、拡幅凹部２３から各側凹部３１の下端へと延びている一対の延設凹部２２とで構成されている。拡幅凹部２３は、容器本体１０を底面視したときに、底壁部２０の中心に向かうほど幅（底凹部２１の短手方向の寸法）が大きくなっており、全体として略円形状になっている。また、拡幅凹部２３の幅（底凹部２１の短手方向の寸法）は延設凹部２２の幅よりも大きくなっている。なお、底凹部２１が設けられている部分では、底壁部２０の上面が上側に突出している。そして、底壁部２０の厚みは、底凹部２１が設けられている部分も設けられていない他の部分も略同じになっている。
【００１８】
図３に示すように、容器本体１０は、底壁部２０の下面から下側に向かって突出する複数の突起部４０を備えている。各突起部４０は、底壁部２０の下面からの突出長が同じになっている。各突起部４０は、底壁部２０の周方向において等間隔に配置されている。なお、本実施形態では、容器本体１０の底壁部２０から４つの突起部４０が突出している。
【００１９】
図１に示すように、植物用容器は、容器本体１０に固定された帯板状の帯部材６０を備えている。帯部材６０は、環状になっている。図４及び図５に示すように、帯部材６０は、底凹部２１の延設方向の全体に亘って嵌合された底嵌合部６１を備えている。底嵌合部６１は、容器本体１０の底面に沿うように直線状に延びている。また、底嵌合部６１は、当該底嵌合部６１の中央に位置している拡幅嵌合部６３と、拡幅嵌合部６３の外周縁から径方向外側に延びている板状の延設嵌合部６２とによって構成されている。
【００２０】
拡幅嵌合部６３は、底面視したときに、容器本体１０における拡幅凹部２３に対応するように、長手方向の中央ほど幅（底嵌合部６１の短手方向の寸法）が大きい略円形状になっている。また、拡幅嵌合部６３の幅（底嵌合部６１の短手方向の寸法）は容器本体１０の拡幅凹部２３の幅と略同じになっており、拡幅嵌合部６３は拡幅凹部２３に嵌合されている。延設嵌合部６２の幅は容器本体１０の延設凹部２２の幅と略同じになっており、延設嵌合部６２は延設凹部２２に嵌合されている。すなわち、拡幅嵌合部６３の幅は、延設嵌合部６２の幅よりも大きくなっている。
【００２１】
図６に示すように、底嵌合部６１の厚みは、容器本体１０の底凹部２１の深さよりも僅かに大きく、且つ底凹部２１の深さに突起部４０の突出長を足した長さよりも小さくなっている。したがって、底嵌合部６１の下面は底壁部２０の下面よりも下側に僅かに突出している一方で、突起部４０よりも下側には突出していない。すなわち、突起部４０は帯部材６０の底嵌合部６１の下面よりも下側にまで突出しており、植物用容器を載置した場合には突起部４０によって植物用容器が支持される。
【００２２】
図４及び図５に示すように、底嵌合部６１における各延設嵌合部６２の外側の端からは、それぞれ上側に向かって帯板状の一対の側嵌合部６６が延びている。各側嵌合部６６は、容器本体１０の側壁部３０の外面形状に沿うように、上側ほど外側に位置するように斜めに延びている。側嵌合部６６は、容器本体１０における側壁部３０の上端にまで延びている。側嵌合部６６の幅（短手方向の寸法）は容器本体１０の側凹部３１の幅と略同じになっており、側嵌合部６６は側凹部３１に嵌合している。側嵌合部６６の厚みは容器本体１０の側凹部３１の深さと同じになっており、側嵌合部６６の外面と容器本体１０の側壁部３０の外面とが面一になっている。
【００２３】
側嵌合部６６の各上端からは容器本体１０の内部側に向かって係合部６７が突出している。係合部６７は、側嵌合部６６から容器本体１０の内部側に向かって突出している板状の第１突出片６７ａと、第１突出片６７ａの先端から下側に向かって突出している板状の第２突出片６７ｂとを備えている。第１突出片６７ａの幅は容器本体１０における切欠部３２の幅と略同じになっており、係合部６７の第１突出片６７ａが切欠部３２に嵌め込まれている。係合部６７の第１突出片６７ａの厚みは容器本体１０の切欠部３２の深さと同じになっている。係合部６７の第１突出片６７ａが切欠部３２に嵌め込まれた状態では、係合部６７の第１突出片６７ａの上面と容器本体１０における側壁部３０の上端とが面一になっている。第２突出片６７ｂは、容器本体１０における側壁部３０の内部側の面に当接している。これら第１突出片６７ａと切欠部３２との嵌合関係及び第２突出片６７ｂと側壁部３０の内面との当接関係により、係合部６７が側壁部３０の上端（側凹部３１の上端）に係合されている。
【００２４】
図４及び図５に示すように、側嵌合部６６の各上端からは上側に向かって取手部６８が延びている。図５に示すように、取手部６８は、帯部材６０を側面視したときに取手部６８の両端部が下側に向かうように逆Ｕ字形状に湾曲している。取手部６８は、植物用容器の取手として機能している。なお、本実施形態では、帯部材６０は、容器本体１０とは異なる色の樹脂材料によって構成されている。
【００２５】
次に、本実施形態の作用を、その効果と合わせて説明する。
例えば植物用容器を持ち上げようと帯部材６０の取手部６８を把持するなどして帯部材に外力が加わると、帯部材６０と容器本体１０との固定箇所に外力が作用する。ここで、仮に帯部材６０が取手部６８のみを備えており、帯部材６０における取手部６８の端部のみが容器本体１０における側壁部３０の上端に固定されている構成の場合、帯部材６０が容器本体１０に対してぐらついたり、帯部材６０が容器本体１０から意図せず外れてしまったりすることがある。
【００２６】
これに対して、本実施形態では、帯部材６０の底嵌合部６１及び側嵌合部６６が容器本体１０の底凹部２１及び側凹部３１にそれぞれ嵌合されている。そのため、帯部材６０の底嵌合部６１は容器本体１０における底凹部２１の幅方向（短手方向）に位置ずれしにくい。また、帯部材６０の側嵌合部６６は容器本体１０における側凹部３１の幅方向（短手方向）に位置ずれしにくい。さらに、帯部材６０の底嵌合部６１は容器本体１０の底凹部２１に嵌合され、帯部材６０の係合部６７は容器本体１０における側壁部３０の上端に係合されている。すなわち、帯部材６０は、容器本体１０を上下方向に挟み込むように固定されている。そのため、帯部材６０は、容器本体１０に対して上下方向にも位置ずれしにくい。よって、本実施形態では、上記の帯部材６０における取手部６８の端部のみが容器本体１０における側壁部３０の上端に固定されている構成に比べて、容器本体１０に対する帯部材６０の取り付け強度として相応の強度が確保されている。したがって、帯部材６０が容器本体１０に対してぐらついたり、帯部材６０が容器本体１０から意図せず外れてしまったりすることを抑制できる。
【００２７】
特に、本実施形態では、帯部材６０が取手部６８を備えているため、取手部６８を把持して植物用容器を持ち上げることができる。このように取手部６８を把持すると、上述したように帯部材６０には相応の外力が作用する。そのため、取手部６８を備えている構成において、容器本体１０の底凹部２１及び一対の側凹部３１に帯部材６０の底嵌合部６１及び側嵌合部６６を嵌め合わせて取り付け強度を向上することは、特に好適である。
【００２８】
また、本実施形態では、底嵌合部６１の下面は容器本体１０の底壁部２０の下面よりも僅かに下側に突出している。ここで、仮に容器本体１０が突起部４０を備えていない構成において植物用容器を載置すると、植物用容器が長尺な底嵌合部６１によって支持されることになる。そのため、平坦な面に植物用容器を載置したとしても、植物用容器が底嵌合部６１の幅方向（短手方向）にぐらついてしまい、植物用容器を安定して載置できないこともある。
【００２９】
これに対して、本実施形態では、容器本体１０が複数の突起部４０を備えており、各突起部４０は帯部材６０の底嵌合部６１の下面よりも下側にまで突出している。そのため、植物用容器を平坦な面に載置した場合には、植物用容器が複数の突起部４０によって支持される。よって、容器本体１０における底壁部２０の下面よりも下側に帯部材６０における底嵌合部６１の下面が位置していたとしても、植物用容器を安定して載置できる。
【００３０】
ところで、上記実施形態の帯部材６０は樹脂材料により構成されており、多少は弾性変形し得る。そのため、帯部材６０の底嵌合部６１が容器本体１０の底凹部２１に嵌合されている構成において、仮に拡幅嵌合部６３が設けられていない場合には、側嵌合部６６が撓むなどして、底凹部２１の延設方向に帯部材６０の底嵌合部６１ががたつくことがあり得る。これに対して、本実施形態では、底凹部２１の拡幅凹部２３に底嵌合部６１の拡幅嵌合部６３が嵌合しているため、容器本体１０における底凹部２１の延設方向に帯部材６０の底嵌合部６１ががたつくことも抑制できる。
【００３１】
また、本実施形態では、底凹部２１の拡幅凹部２３は底壁部２０の中央に位置しており、拡幅凹部２３に底嵌合部６１の拡幅嵌合部６３が嵌合している。そのため、植物用容器の上下方向を鉛直方向としたとき、帯部材６０の拡幅嵌合部６３が植物用容器の鉛直方向下方に位置する。よって、帯部材６０の取手部６８を把持して植物用容器やその植物用容器に収容されている植物等を持ち上げた際に、これらの重心に対して鉛直方向下方から帯部材６０の拡幅嵌合部６３で支持できる。したがって、例えば、取手部６８を把持して植物用容器を持ち上げたときの植物用容器のバランスをとりやすくなる。
【００３２】
さらに、帯部材６０の拡幅嵌合部６３は、帯部材６０の延設嵌合部６２の幅よりも大きくなっている。そのため、植物用容器に収容される植物等の重心が植物用容器の重心から多少ずれていても、その植物等の重心の下方に帯部材６０の拡幅嵌合部６３が位置する蓋然性が高くなる。
【００３３】
なお、上記の実施形態は、以下のように変更できる。
・上記実施形態では、帯部材６０が取手部６８を備えていたが、取手部６８を省略してもよい。例えば、図７に示すように、取手部６８を省略して、帯部材１６０を、底嵌合部６１、一対の側嵌合部６６、及び一対の係合部６７のみで構成してもよい。このような帯部材１６０であっても、例えば容器本体１０と異なる色の帯部材１６０を採用することにより、意匠上のアクセントとして帯部材１６０を利用できる。この場合においても、帯部材１６０に他の物体が衝突する等によって、帯部材１６０と容器本体１０との固定箇所に外力が加わることがある。そのため、帯部材１６０の底嵌合部６１及び側嵌合部６６が容器本体１０の底凹部２１及び側凹部３１にそれぞれ嵌合され、帯部材１６０の係合部６７は容器本体１０における側壁部３０の上端に係合されていることが有効である。
【００３４】
また、上述したように上記の帯部材１６０では取手部６８が省略されている。ここで、仮に容器本体１０に切欠部３２が設けられていない場合には、帯部材１６０における係合部６７（第１突出片６７ａ）が側壁部３０の上端よりも上側に突出することになる。すなわち、この構成の場合には、係合部６７が突出している分だけ、帯部材１６０の係合部６７に手指や他の物体が引っ掛かること等が多くなり、帯部材１６０に外力が加わりやすくなる。
【００３５】
これに対して、図７に示す例では、容器本体１０に切欠部３２が設けられ、帯部材１６０の係合部６７が容器本体１０の切欠部３２に嵌め込まれている。そのため、切欠部３２が設けられていない構成に比べて、容器本体１０における側壁部３０の上端に対する係合部６７の上面の突出長が小さくなっている。これにより、側壁部３０の上端から突出する帯部材１６０の係合部６７に手指や他の物体が引っ掛かることを抑制できる。
【００３６】
さらに、係合部６７の第１突出片６７ａの厚みは容器本体１０の切欠部３２の深さと同じになっており、係合部６７の第１突出片６７ａの上面と容器本体１０における側壁部３０の上端とが面一になっている。このように帯部材１６０の上端と容器本体１０の上端とを面一とすることで、容器本体１０と帯部材６０との一体感を向上させて植物用容器全体での見栄えを向上できる。
【００３７】
・上記実施形態では、容器本体１０の底壁部２０が略円板状になっており、側壁部３０が略円筒状になっていたが、底壁部及び側壁部の形状は適宜変更してもよい。例えば、図８に示すように、容器本体１１０が略楕円形状の底壁部１２０と略楕円筒状の側壁部１３０とを備えていてもよい。また、底壁部を略四角板状としてもよいし、側壁部を略四角筒状としてもよい。
【００３８】
・上記実施形態では、側壁部３０がテーパ形状になっていたが、側壁部３０が筒状になっていて、容器本体１０の内部に植物を収容できるのであれば、テーパ形状でなくてもよい。
【００３９】
・上記実施形態では、帯部材６０が帯板状になっていたが、帯部材６０が長尺な形状であれば、帯部材６０の延設方向に直交する断面形状は適宜変更できる。例えば、帯部材６０の延設方向に直交する断面形状は、湾曲した略Ｕ字形状や略半円形状になっていてもよい。なお、断面半円形状等のように、多少の厚みがある形状であっても「帯部材」である。
【００４０】
・上記実施形態では、側凹部３１が直線状に延びていたが、これに限らない。例えば、容器本体１０を側面視したときに、側凹部３１は上下方向に対して湾曲しつつ側壁部３０の上端から下端にまで延びていてもよい。
【００４１】
・上記実施形態では、一対の側凹部３１が側壁部３０の中心軸線を挟んで対向していたが、側壁部３０の中心軸線を挟んで対向していなくてもよい。
・上記実施形態では、帯部材６０における底嵌合部６１の下面は容器本体１０の底壁部２０の下面よりも僅かに下側に突出していたが、突出していなくてもよい。例えば、底嵌合部６１の下面は、容器本体１０の底壁部２０の下面と面一になるように設計してもよい。また、このように底壁部２０の下面と底嵌合部６１の下面とが面一になるように設計したとしても、底凹部２１や底嵌合部６１の製造誤差等によっては、容器本体１０における底壁部２０の下面に対して帯部材６０における底嵌合部６１の下面が下側に突出することがあり得る。このような場合には、平坦な面に植物用容器を載置しても植物用容器を安定して載置できないことがある。そこで、この構成の場合にも、容器本体１０は突起部４０を備えていることが好ましい。
【００４２】
・上記実施形態では、容器本体１０が突起部４０を備えていたが、突起部４０は省略してもよい。例えば、帯部材６０における底嵌合部６１の厚みが容器本体１０の底凹部２１の深さよりも小さくなるように設計することで、底嵌合部６１の下面が容器本体１０の底壁部２０の下面よりも下側に突出することがないのであれば、突起部４０を省略してもよい。
【００４３】
・上記実施形態では、容器本体１０の底壁部２０から４つの突起部４０が突出していたが、突起部４０の数は適宜変更してもよい。
・上記実施形態では、容器本体１０の色と帯部材６０の色とを異なるものとしたが、両者は同一の色であってもよい。また、色の異なる複数の帯部材６０を用意しておき、帯部材６０を適宜交換することによって、植物用容器のデザインを変更できるようにしてもよい。
【００４４】
・上記実施形態では、容器本体１０及び帯部材６０が樹脂材料によって構成されていたが、それらの材質は適宜変更してもよいし、容器本体１０と帯部材６０とで異なる材質を採用してもよい。例えば、容器本体１０及び帯部材６０を金属等によって構成してもよい。
【００４５】
・上記実施形態における底凹部２１の形状は適宜変更できる。例えば、上記実施形態では、底凹部２１が延設凹部２２と拡幅凹部２３とによって構成されていたが、拡幅凹部２３を省略してもよい。なお、拡幅凹部２３を省略する場合、それに合わせて、帯部材６０の底嵌合部６１における拡幅嵌合部６３を省略すればよい。
【００４６】
・上記実施形態では、容器本体１０に切欠部３２が設けられていたが、切欠部３２を省略してもよい。この場合には、帯部材６０における係合部６７の第１突出片６７ａの下面が容器本体１０における側壁部３０の上端に当接され、係合部６７の第２突出片６７ｂが容器本体１０における側壁部３０の内面に当接することにより、係合部６７が側壁部３０の上端に係合されていればよい。
【００４７】
また、切欠部３２が省略されている容器本体１０においては、容器本体１０が側壁部３０の上端から上側に突出する突起を備え、係合部６７における第１突出片６７ａには突起が挿通する挿通孔を設けることで、係合部６７が側壁部３０の上端に係合されていてもよい。
【００４８】
・上記実施形態では、係合部６７が第１突出片６７ａ及び第２突出片６７ｂを備えていたが、第２突出片６７ｂを省略してもよい。この場合にも、係合部６７の第１突出片６７ａが切欠部３２に嵌め込まれることにより、係合部６７が側壁部３０の上端（側凹部３１の上端）に係合できる。
【００４９】
・上記実施形態では、植物用容器の上下方向を鉛直方向としたとき、帯部材６０の拡幅嵌合部６３が植物用容器の鉛直方向下方に位置していたが、これに限らない。この場合にも、帯部材６０の底嵌合部６１が容器本体１０の底凹部２１に嵌合していれば、取手部６８を把持して植物用容器を持ち上げたときに、容器本体１０を帯部材６０の拡幅嵌合部６３で支持することはできる。
【００５０】
次に、上記実施形態及び変更例から把握できる技術的思想を以下に追記する。
（イ）前記側凹部の上端には、前記側壁部の上端から下側に向かって切り欠かれた形状の切欠部が設けられ、前記切欠部には、前記係合部が嵌め込まれている。
【００５１】
（ロ）前記拡幅嵌合部は、前記植物用容器の上下方向において前記植物用容器の重心の下方に位置している。
【符号の説明】
【００５２】
１０…容器本体、２０…底壁部、２１…底凹部、２２…延設凹部、２３…拡幅凹部、３０…側壁部、３１…側凹部、３２…切欠部、４０…突起部、６０…帯部材、６１…底嵌合部、６２…延設嵌合部、６３…拡幅嵌合部、６６…側嵌合部、６７…係合部、６７ａ…第１突出片、６７ｂ…第２突出片、６８…取手部、１１０…容器本体、１２０…底壁部、１３０…側壁部、１６０…帯部材。
【図１】
2018177354.tif 000003
【図２】
2018177354.tif 000004
【図３】
2018177354.tif 000005
【図４】
2018177354.tif 000006
【図５】
2018177354.tif 000007
【図６】
2018177354.tif 000008
【図７】
2018177354.tif 000009
【図８】
2018177354.tif 000010